(57)【要約】  トイレの溢れを防止するシステムは、幾つかの特徴（例えば、フラップ弁無効化）と組み合わされるように静電容量センサ装置を備える。このシステムは、トイレの１つ又は複数の正常な水洗サイクルのパラメータの値を感知し、感知された値を用いてパラメータの値について正常範囲を確立することによって、トイレの水が溢れ出す条件を検出することができる。システムは、続く水洗サイクル中のパラメータの値と比較するために、正常範囲をメモリに記憶することもできる。システムは、所定の時間フレームに亘って感知を行うことができる。システムは、トイレのプッシュサイクル全体を含むのに十分である時間フレームを含むことができる。
2020525690.tif 000002
【特許請求の範囲】
【請求項１】
トイレと共に用いるためのトイレ溢れ防止システムであって、
誘電率を示す信号を発するように構成され、第１の導電板及び第２の導電板を備える静電容量センサ装置であって、前記第１の導電板は、正常な水位よりも上に配設されるように構成され、前記第２の導電板は、前記正常な水位よりも下に配設されるように構成される、静電容量センサ装置と、
１つ又は複数のプロセッサであって、
前記誘電率を示す前記信号に基づいて水の高さを決定し、
決定された前記水の高さに基づいて水が溢れ出す条件を決定し、
前記トイレ内の水の流れを止める弁を閉鎖するために、前記水が溢れ出す条件の決定に応じて制御信号を生成するように構成された、１つ又は複数のプロセッサと
を備える、トイレ溢れ防止システム。
【請求項２】
前記制御信号を受信し、前記制御信号に応じて、前記トイレ内の前記水の流れを止める前記弁を閉鎖するように動作するように構成されたアクチュエータ
をさらに備える、請求項１に記載のトイレ溢れ防止システム。
【請求項３】
前記弁は、フラッパー弁を含む、請求項１に記載のトイレ溢れ防止システム。
【請求項４】
前記１つ又は複数のプロセッサは、決定された前記水の高さの値とメモリに記憶された前記水の高さの正常範囲を比較して、前記水が溢れ出す条件の前記決定を行う、請求項１に記載のトイレ溢れ防止システム。
【請求項５】
前記１つ又は複数のプロセッサは、時間期間に亘ってパラメータの値と前記正常範囲を比較する、請求項４に記載のトイレ溢れ防止システム。
【請求項６】
前記時間期間は、水洗サイクル全体を含むのに十分である、請求項５に記載のトイレ溢れ防止システム。
【請求項７】
前記１つ又は複数のプロセッサは、前記値が前記時間期間の間に連続的に前記正常範囲の外側にあることの決定に応じて、前記水が溢れ出す条件の前記決定を行う、請求項５に記載のトイレ溢れ防止システム。
【請求項８】
前記正常範囲は、予めプログラムされている、請求項５に記載のトイレ溢れ防止システム。
【請求項９】
前記正常範囲は、較正サイクルを通じて決定され、前記較正サイクルは、前記１つ又は複数のプロセッサが１つ又は複数の正常な水洗の特性を測定し、前記特性より上の正常範囲を決定することを含む、請求項５に記載のトイレ溢れ防止システム。
【請求項１０】
前記特性は、前記１つ又は複数の正常な水洗中に前記水の高さの平均ピークであり、前記正常範囲は、前記水の高さの前記平均ピークより上にある、請求項９記載のトイレ溢れ防止システム。
【請求項１１】
前記弁を閉鎖するために前記制御信号を受信機へ送信するための送信機をさらに備える、請求項１に記載のトイレ溢れ防止システム。
【請求項１２】
前記静電容量センサ装置は、第３の導電板をさらに備える、請求項１に記載のトイレ溢れ防止システム。
【請求項１３】
前記第１の導電板及び前記第２の導電板それぞれは、ある程度の回転を可能にするように構成された枢支点を含む、請求項１に記載のトイレ溢れ防止システム。
【請求項１４】
前記第１の導電板及び前記第２の導電板のうちの少なくとも１つは、ある程度の回転を可能にするように構成された枢支点を含む、請求項１に記載のトイレ溢れ防止システム。
【発明の詳細な説明】
【技術分野】
【０００１】
［関連出願］
本出願は、特許文献１及び特許文献２に基づく優先権を主張するものであり、その開示全体は、参照によりそっくりそのまま本明細書に組み込まれる。
【０００２】
本開示は、一般に、トイレに関する。より詳細には、本開示は、トイレのための溢れ防止装置、システム、及び方法に関する。
【背景技術】
【０００３】
トイレ技術において、特に流すために必要な水量を減少させることにおいてかなり大きな前進がなされているが、トイレ便器又は関連した排水管が詰まった場合にトイレの溢れを防止する満足のゆく解決策は、実現されていない。許容できる信頼性を与えるために、既存の溢れ防止装置は、しばしば複雑であり、結果としてコストが高い装置となる。さらに、実際の溢れのイベント全て又はほぼ全てを検出するため、一部の既存の溢れ防止装置は、望ましくない数の誤検知となったり、又は実際には溢れが存在しないときの溢れのイベントの指示となったりする。
【先行技術文献】
【特許文献】
【０００４】
【特許文献１】米国特許出願第６２／６８８２５２号明細書
【特許文献２】米国特許出願第６２／５２５６４５号明細書
【発明の概要】
【発明が解決しようとする課題】
【０００５】
したがって、これらの問題に対処する又は少なくとも公衆に有用な選択肢を与える改善されたトイレ溢れ防止システム及び方法の必要性が存在する。
【課題を解決するための手段】
【０００６】
本開示の好ましい実施形態は、費用対効果の大きいかつ信頼できるやり方でトイレの溢れを防ぐように動作する。さらに、好ましい実施形態は、好ましくは標準的なトイレをほとんど又は全く改良せずに、製造中にトイレアセンブリに組み込まれるか、又は既存のトイレに後付けされてもよい。既存のトイレに後付けすることが意図される実施形態は、望ましくは、設置するのに低いレベルの技能を必要とする。
【０００７】
本開示の一態様は、本開示の幾つかの他のシステム特徴（例えば、フラップ弁無効化）と組み合わせて静電容量センサ装置を利用してトイレの溢れを防止するシステム及び方法を含む。任意選択の実施形態では、システム及び方法は、本明細書中に説明されるように、実質的に較正プロセスを利用することができる。
【０００８】
本開示のさらなる別の態様は、トイレの水が溢れ出す条件を検出するシステムを較正する方法であって、トイレの１つ又は複数の正常な水洗サイクルのパラメータの値を感知するステップと、感知された値を用いてパラメータの値についての正常範囲を確立するステップとを含む、方法を含む。この方法は、続く水洗サイクル中のパラメータの値と比較するために、正常範囲をメモリに記憶するステップを含むこともできる。上記方法は、所定の時間フレームに亘って実行されていることを感知するステップをさらに含んでもよい。上記方法は、トイレのプッシュサイクル全体を含むのに十分である時間フレームをまたさらに含むことができる。
【０００９】
本開示の別の態様は、トイレの水が溢れ出す条件の存在を決定する方法であって、トイレ内の水のダイナミックスによって引き起こされる水洗サイクルのパラメータの値を感知するステップと、パラメータの感知された値とパラメータについての値の正常範囲を比較するステップと、感知された値が正常範囲の外側にある場合に、水が溢れ出す条件が存在することを決定するステップとを含む、方法を含む。
【００１０】
本システム及び方法のこれらの及び他の特徴、態様、及び利点は、添付図面を参照して本開示の好ましい実施形態に関連して説明される。しかしながら、示された実施形態は、例示にすぎず、本開示を限定するものではない。図面は、以下の図を含む。
【図面の簡単な説明】
【００１１】
【図１Ａ】トイレ便器に配設されたトイレ溢れ防止システムの一実施形態のトイレ溢れ検出部を示す図である。
【図１Ｂ】図１Ａのトイレ溢れ防止システムの溢れ検出部による静電容量センシングを示す図である。
【図２】幾つかの実施形態によるトイレ溢れ防止システムのハードウェア実装例を示す図である。
【図３】図１Ａのトイレ溢れ防止システムの溢れ検出部の分解組立図である。
【図４Ａ】２つ異なるトイレの一方についてのトイレ溢れ防止システムによる溢れ状態の識別を示すためにセンサ部によって決定されるとともに経時的にトイレの水位に関連している正規化電圧値のグラフである。
【図４Ｂ】２つ異なるトイレの他方についてのトイレ溢れ防止システムによる溢れ状態の識別を示すためにセンサ部によって決定されるとともに経時的にトイレの水位に関連している正規化電圧値のグラフである。
【図５Ａ】幾つかの実施形態によるトイレ溢れ防止システムについての正規化電圧差対振動周波数のグラフである。
【図５Ｂ】幾つかの実施形態によるトイレ溢れ防止システムについての正規化電圧差対導電板長のグラフである。
【図５Ｃ】幾つかの実施形態によるトイレ溢れ防止システムについての正規化電圧差対導電板間の距離のグラフである。
【図６Ａ】幾つかの実施形態によるトイレ溢れ防止システムについての経時的な正規化電圧値のグラフであって、正常な水洗の閾値及び溢れ閾値を示す、グラフである。
【図６Ｂ】幾つかの実施形態によるトイレ溢れ防止システムについての経時的な正規化電圧値のグラフであって、正常な水洗の閾値及び溢れ閾値を示す、グラフである。
【図７】幾つかの実施形態によるトイレ溢れ防止システムのタンク部のタンク弁閉鎖装置を示す図である。
【図８】幾つかの実施形態によるトイレ溢れ防止システムのタンク部のタンク弁閉鎖装置を示す図である。
【発明を実施するための形態】
【００１２】
静電容量センサを備える本明細書中に開示されたシステム及び方法は、本明細書中に記載されているシステム及び方法の他の特徴と共に又はそれ無しで利用することができる。例えば、システム全体は、記載されたセンサ装置単独で備えてもよく、システムの他の部分の一部もしくは全部と組み合わされて備えてもよく、又はシステムと共に用いるのに適した他の構成要素、アセンブリ、もしくは部分と組み合わされて備えてもよい。対応する方法も含まれる。システム全体は、本明細書中に開示されたフラッパー弁無効化機構を利用することができる。当業者は、本明細書中に記載されている特徴及び方法の様々な組合せによって可能にされた様々な実施形態を認識することができよう。
【００１３】
トイレの溢れが無視されると、カビの成長及び家具、室内装飾品、電子機器、及び家庭用機器の損傷の結果として、数千ドルの費用がかかり得る。本明細書中に開示されたシステム及び方法は、好ましくはトイレ便器から実際に溢れる前に、そのようなイベントを検出するように構成された溢れシステムを含む。このシステム及び方法は、水位の変化を追跡するために、水及び／又は空気の誘電率の間のかなり大きな差に依拠する新規な静電容量センシング技法を使用する。この静電容量センシング技法は、トイレ便器の外側にあるセンサを利用し、トイレ便器の内部にハードウェアをほとんどないし全く必要としないようになっている。さらに、この静電容量センシング技法は、総電力使用量を減少させることができ、改善された運転期間を可能にする。上記静電容量センシング技法は、従来技術のシステムと比較して誤検知を減らしつつ、実際の溢れ状態の検出を改善することができる。
【００１４】
［液位センシング技法の概要］
光ファイバベースの技法は、光信号が発せられて反射されるときの光信号の飛行時間を測定するために光ファイバケーブルを使用することができ、これは、時間領域反射率測定法と呼ばれている。これらの技法は、典型的には透明容器又は直接の液体接触を必要とするので、この技法は、トイレにあまり適していない。標準的なトイレは、不透明な磁器で作製されており、トイレの水との直接接触は、衛生の懸念を引き起こす。トイレの水と直接接触する汚れたトイレ溢れ防止システムを徹底的に洗浄することは、システムの損傷をもたらす可能性もあり得る。
【００１５】
機械振動センサは、振動が予測可能であるとともに工業環境などにおける液体運動の常に直接の結果である状況において、より適している。例えば、機械振動ベースの手法は、典型的には、パイプ又は貯蔵タンク内などで容器が振動できるときに使用される。しかしながら、トイレについては、かなり多くの雑音をもたらし得るとともに誤検知を引き起こし得る予測できない振動を、使用者が導入し得ることが知られている。
【００１６】
超音波センサは、光センシングのように、典型的には、飛行時間を使用して、パイプ及び貯蔵タンク内の液位を推定する。超音波センサ電極は、対象の信号を適切に測定するために、しばしば容器のまわりに正確に配置されなければならない。したがって、超音波センサは、トイレ設計内の大きい振動にあまり適していない。さらに、超音波センサは、ある種の用途では手に負えないほど高価になる。
【００１７】
感圧ダイアフラムは、液位を測定するために、容器の真下に又は容器の出口弁に配置することができる。しかしながら、設置は、容器がすでに設置されている用途については厄介であり得る。さらに、圧力センサは、しばしば、液体と物理的接触がない状況において実行できない。
【００１８】
ＲＦＩＤ（Radio frequency identification）タグは、位相及び受信信号強度インジケータ（ＲＳＳＩ：received signal strength indicator）を変化させる分散媒体としての液体の誘電率を識別することができる。しかしながら、これは、正確な測定のために閉ループ較正を必要とする。また、ＲＦＩＤ（radio frequency identification）リーダは、高価でかさばり得る。
【００１９】
レーダー（ＲＡＤＡＲ：Radio Detection and Ranging又はRadio Direction and Ranging）技法は、時間領域反射率測定法又は地中レーダーベースの技法を用いることができる。ＲＡＤＡＲ技術は、容器の壁の外側に置かれ得る。しかしながら、ＲＡＤＡＲ技術は、典型的には、高価であり、かなり大きな電力量を必要とする。
【００２０】
幾つかのトイレ防止システムは、床の上にある水又は便器の外側に配置される導電率センサに接触する水を検出することによって溢れを検出する。そのようなシステムは、衛生問題に悩まされ、水がすでに便器から外へ出て床上になった後に溢れのイベントを検出する。
【００２１】
［静電容量センシング技法］
本開示の態様は、上述した課題の一部又は全部を軽減する又はこれに対処することができる静電容量センシングを用いる技術的解決策に関する。本明細書中に開示されたシステム及び方法は、トイレ便器の内部にセンサを配置する必要のない及び／又はこの必要性を最小にするトイレにおける水溢れのイベントの検出に関する。幾つかの実施形態では、水との直接接触が必要とされないので、静電容量センサ装置を用いるトイレ溢れ防止システムは、より容易に設置することができ、上述した他のシステムよりも衛生的である。トイレ溢れ防止システムは、許容できる性能を与えることもでき、トイレ設計にバリエーションがある場合でも大部分の既存のトイレに設置するのが容易であり得る。さらに、トイレ溢れ防止システムは、消費電力を減少させることができ、多くの既存の設計と比較して少ないコストで製造することができる。
【００２２】
図１Ａは、トイレ便器１１０に配設されたトイレ溢れ防止システムの一実施形態に係るトイレ溢れ検出部１００の一実施形態を示す。検出部１００は、２つの導電板１０２Ａ、１０２Ｂ（又は電極）と、ハウジング１２０と、電池１２２とを備えることができる。
【００２３】
検出部１００の２つの導電板１０２Ａ、１０２Ｂは、トイレ便器１１０の外側壁の外面に取り付けられ、したがって、便器の内部のトイレの水と接触する必要はない。２つの導電板１０２Ａ、１０２Ｂの一方又は両方は、ハウジング１２０に対して１以上の自由度を有することができ、それによってプレート１０２Ａ、１０２Ｂが移動する（例えば、枢動する又は回転する）ことを可能にし、検出部１００を取り付ける個々のトイレ便器の形状により良く適合する。他の構成では、プレート１０２Ａ、１０２Ｂは、１つ又は複数の軸に沿って可撓性とすることができ、それによってプレート１０２Ａ、１０２Ｂが曲がり、トイレ便器の形状に適合又はある程度適合することを可能にする。そのような構成は、様々なトイレ便器の形状及びサイズに固定される可撓性を検出部１００に与える。少なくとも図２に関して説明されるように、検出部１００は、２つの導電板１０２Ａ、１０２Ｂ間の誘電率を検出するのに適したセンサを、ハウジング１２０内に又はハウジング１２０によって支えられた状態で備えることができる。ハウジング１２０は、電池１２２のための拡張部分を含むこともできる。
【００２４】
導電板１０２Ａ、１０２Ｂは、比較的低コストの及び／又は容易に入手可能な銅などの材料で作製することができる。プレート１０２Ａ、１０２Ｂは、銅プレート又は銅テープの形態にあり得る。トイレ溢れ検出部１００は、時間領域反射率測定法を用いるために２つの導電板１０２Ａ、１０２Ｂを利用することができる。トイレ溢れ検出部１００は、液位などの誘電体媒質の変化を検出するために静電場の変化を決定することができる。したがって、トイレ溢れ検出部１００は、振動、音、及び圧力などの周囲因子がトイレ便器内の水の高さ又は水位の正確な検出に干渉するのを減少させる及び／又はなくすことができるのが有利である。
【００２５】
幾つかの実施形態では、導電板１０２Ａ、１０２Ｂ、１０２Ｃなどの３つ以上の導電板は、水の高さを検出するために使用され得る。例えば、３つの導電板（それぞれが、２つの導電板を有する実施形態のものよりも個々に小さい）は、消費電力を減少させつつ、より粗いやり方で水の高さを測定することができるように使用され得る。そのような構成では、図１Ｂに示されるように、任意の導電板対の間の電場経路は、場の経路に類似し得る。さもなければ、一般的なセンシング原理は、例示された２つのプレート構成に関連して説明されるもと同じ又はほぼ同様であり得る。
【００２６】
［磁器、空気、及び水の静電容量センシング］
図１Ｂは、幾つかの実施形態による、トイレ溢れ防止システムによる静電容量センシングを示す。図１Ａに示されるように、トイレ溢れ防止システムは、トイレ溢れ検出部１００を備えることができる。
【００２７】
トイレ溢れ検出部１００は、並列なフリンジング効果を利用して２つの導電板１０２Ａ、１０２Ｂ間の可変誘電体を検出することができ、これは、２つの導電板１０２Ａ、１０２Ｂ間のフリンジ静電容量を備える。２つの導電板１０２Ａ、１０２Ｂは、ほぼ同様の平面上に概して並んで配設され得る。すなわち、典型的には、トイレ便器の側壁は、湾曲しているが、この湾曲は浅く、又は比較的大きい曲率半径を有する。したがって、実際的な距離を離してトイレ便器の側部に配置されるとき、導電板１０２Ａ、１０２Ｂは、この配置によって生成される電場経路を説明するために、概して並んだ配置になる。
【００２８】
トイレ溢れ検出部１００は、２つの導電板１０２Ａ、１０２Ｂ間の静電容量を検出することができる。上に示したように、複数の電場経路は、導電板１０２Ａ、１０２Ｂ間に延びる。例えば、トイレ溢れ検出部１００は、空気（Ｃ１）１０４Ａ、１０４Ｂを通じ、磁器（Ｃ２）１０８Ａ、１０８Ｂ、１０８Ｃを通じ、及び水（Ｃ３）１０６を通じた電場経路に関連する静電容量を検出することができる。導電板１０２Ａ、１０２Ｂは、実質的に平行な場にあるので、２つのプレート間の全静電容量は、磁器１０８Ｃを通じ、水１０６を通じ、空気１０４Ａを通じ、及び磁器１０８Ａを通じた電場経路を含むことができる。トイレの形状及び材料は一定であるので、静電容量の測定可能な変化は、便器の内部の水の高さの関数として説明することができる。湿度及び他の因子がいくらかの影響を有し得るが、水の誘電率は、磁器及び空気の誘電率よりもずっと高く、その結果、湿度及び他の因子は、無視でき得る。例えば、水の誘電率は、およそ８０の因子とすることができるのに対して、磁器は、６の因子であり、空気は１の因子であり得る。したがって、導電板１０２Ａ、１０２Ｂ間の静電容量の測定は、トイレ便器１１０内の水の高さに実質的に関連し得る。測定された静電容量Ｃwater、Ｃair、及びＣporcelainは、
【００２９】
【数１】
2020525690.tif 000003
【００３０】
によって表すことができ、ただし、ｈｗは便器内の水の高さを表すことができ、ｈａは上プレートからの便器内の空気の高さを表すことができ、ｈｐは磁器の厚さを表すことができる。εｗ、εａ、及びεｐはそれぞれ、水、空気、及び磁器の比誘電率を表すことができる。ε０は、自由空間の誘電率を表すことができ、Ａは、電極の面積を表すことができる。
【００３１】
誘電体は直列に積み重ねることができるので、全静電容量は、
【００３２】
【数２】
2020525690.tif 000004
【００３３】
によって表すことができ、ただし、Ｄは、導電板１０２Ａ、１０２Ｂ間の距離を表し得る。
【００３４】
しかしながら、εｗは、ε０よりもずっと大きいものであり得るので、εｗは小さくて無視できるものであり得る。したがって、全静電容量は、
【００３５】
【数３】
2020525690.tif 000005
【００３６】
によって表すことができる。
【００３７】
Ｃporcelain及びαは一定とすることができるので、トイレ溢れ検出部１００の有効静電容量は、水の高さの変化により変動し得る。水の高さ（ｈｗ）が増加するにつれて、Ｃ３も増加し、したがって、２つのプレート間の全静電容量が増加し、より多くの交流電流が一方の導電板１０２Ｂから他方の導電板１０２Ａへ通過することを可能にし、及び／又はその逆も同様である。
【００３８】
［トイレ溢れ防止システムの例示的なハードウェア実装］
図２は、幾つかの実施形態によるトイレ溢れ防止システムのハードウェア実装を示す。トイレ溢れ防止システムは、図１Ａ及び／又は図１Ｂに示されるようにトイレ溢れ検出部１００を備えることができる。
【００３９】
トイレ溢れ防止システムは、センシングユニット２０１とタンクユニット２１５とを備えることができる。溢れ検出部１００は、センシングユニット２０１からなることができる、又はこれを備えることができる。センシングユニット２０１は、方形波発生器２０２、第１のローパスフィルタ２０４、整流器２０６、第２のローパスフィルタ２０８、アナログ／デジタル変換器２１０、溢れ検出器２１２、送信機２１４、導電板１０２Ａ、１０２Ｂ、及び／又はハウジング１２０を備えることができる。タンクユニット２１５は、受信機２１６、ハイサイドスイッチ２１８、及び／又はソレノイド２２０を備えることができる。
【００４０】
方形波発生器２０２は、第１の導電板１０２Ａから送信され第２の導電板１０２Ｂによって受信される、又はその逆も同様である、方形波を発生させることができる。発生した信号は、導電板１０２Ａの１つに送られた交流信号であり得る。方形波は、５ボルト源などの電圧源によって励振され、１００ｋＨｚにおける５０％デューティサイクル方形波のようにデューティサイクル及び周波数によって特徴付けることができる。したがって、トイレ溢れ検出部１００は、発生した方形波に基づいて平均消費電力を減少させることができる。
【００４１】
受信信号は、第１のローパスフィルタ２０４を用いてフィルタ処理を受け、整流器２０６を用いて整流され、第２のローパスフィルタ２０８を用いてフィルタ処理を受け、アナログ／デジタル変換器２１０を用いて信号をサンプリングすることによりデジタル信号に変換され、溢れ検出器２１２によって溢れ状態が生じたか及び／又は差し迫っているか決定するために評価され得る。溢れ状態が生じたか及び／又は差し迫っているか決定するための評価の方法の一例は、さらに以下に説明される。
【００４２】
溢れ状態が生じた及び／又は差し迫っていると決定される場合、トイレ溢れ防止システムは、タンクから便器への水流を遮断することなどによって溢れ状態に応じることができる。例えば、溢れ検出部１００は、遮断機構を作動させるために、送信機２１４を用いて信号をタンクユニット２１５へ送信することができる。タンクユニット２１５は、受信機２１６を用いて信号を受信し、ハイサイドスイッチ２１８をオンにし、ソレノイド２２０を作動させることができ、これにより、トイレのフラッパー弁２２２を閉鎖することなどによって水の流れを止めるプロセスを開始し又は機構を作動させることができる。小さいソレノイド２２０は、フラッパー弁２２２を閉鎖するとともにさらなる水がトイレ便器１１４に入るのを防ぐために、トイレタンクへ加えられ得る。フラッパー弁２２２が閉鎖されると、使用者は、溢れを引き起こす問題に対処することができる。使用者が溢れ状態を軽減すると、信号がタンクユニット２１５に送信されてスイッチ２１８をスイッチオフし、ソレノイド２２０の動作を停止させることができる。
【００４３】
［トイレ溢れ防止システムの例示的な分解組立図］
図３は、図１Ａ、図１Ｂ、及び図２に示されるようにトイレ溢れ検出部１００の分解組立図である。トイレ溢れ検出部１００は、導電板１０２Ａ、１０２Ｂと、枢動ハウジング３０４Ａ、３０４Ｂと、センサハウジング１２０Ａ、１２０Ｂと、プリント回路基板（ＰＣＢ）３０２と、電池１２２とを備えることができる。
【００４４】
上述したように、導電板１０２Ａ、１０２Ｂは、銅材料とすることができ、又は銅材料で構成することができる。例示された構成では、導電板１０２Ａ、１０２Ｂは、銅箔テープである又はこれを備える。導電板１０２Ａ、１０２Ｂのうちの各一つは、一対の枢動ハウジング３０４Ａ、３０４Ｂの一方であり得る検出部１００の可動部分に取り付けることができる又はこれによって支えることができる。枢動ハウジング３０４Ａ、３０４Ｂそれぞれは、センサハウジング１２０Ａに対して移動する（例えば、枢動する）ことができ、それによって検出部１００が様々なトイレ設計に馴染む及び適合することを可能にする。幾つかの実施形態では、枢動ハウジング３０４Ａ、３０４Ｂそれぞれは、ヒンジに沿ってセンサハウジング１２０に対して枢動ハウジング３０４Ａ、３０４Ｂの枢動することを可能にするヒンジを備えることができる。幾つかの実施形態では、枢動ハウジング３０４Ａ、３０４Ｂは、複数のヒンジ、可鍛面、異なる位置に設けられたヒンジ、ロック、締結機構、及び／又は同様のものなどの様々なトイレ設計に適合するための他の機構を備えることができる。
【００４５】
センサハウジング１２０Ａ、１２０Ｂは、導電板１０２Ａ、１０２Ｂの全体に亘って誘電率を感知するＰＣＢ３０２を収容することができる。当業者よって理解されるように、ＰＣＢ３０２は、図２に示されるとともに図２に関連して説明されるようなハードウェア及びソフトウェア構成要素を備えることができ、又はこれらは、その他の方法で本明細書中に記載されている溢れ検出及び／又は防止方法論を実行することが必要又は望ましい。例えば、ＰＣＢ３０２は、メモリ３０１とプロセッサ３０３とを備えることができる。センサハウジング１２０Ａ、１２０Ｂは、電池１２２、導電板１０２Ａ、１０２Ｂ、配線（図示せず）、及び／又は同様のものなどのトイレ溢れ検出部１００の他の部品を収容することができる。
【００４６】
［トイレ溢れ防止システムの溢れ状態の識別］
図４Ａ及び図４Ｂは、幾つかの実施形態によるトイレ溢れ防止システムによって２つの異なるトイレにおける溢れ状態の決定を示すグラフ４００、４５０である。トイレ溢れ防止システムは、トイレ便器内の水位に相関するアナログ信号を生成することができる。しかしながら、トイレ便器設計及び形状の膨大な変形例の場合には、洗浄中及び閉塞中のトイレ便器内の水の移動は、変動し得る。したがって、トイレ溢れ防止システムは、溢れ状態と正常な水洗の間で区別するために、経時的に水流シグネチャを検出することができる。
加えて又は代替として、トイレ溢れ防止システムは、トイレ溢れ防止システムが設置される特定のトイレのために較正され得る。較正プロセスは、トイレ溢れ防止システムの製造中、例えば、トイレ溢れ検出部１００の製造中に行われ得る。例えば、そのような較正プロセスは、幅広いカテゴリーのトイレタイプ、トイレブランド、トイレモデル、便器形状、又は他の関連因子（例えば、国又は領域指定）を考慮に入れることができる。したがって、システムの様々なモデルが販売されてもよく、又はシステムは、適切なユーザインタフェースを利用して適切な較正済みの動作モードの選択を可能にすることができる。しかしながら、較正プロセスは、本システムが使用される特定のトイレに設置された後に行われるのが好ましい。較正は、設置の後かつトイレの正常な使用の前に行うことができる。例えば、使用者は、較正プロセスを実行するために複数回の水洗を連続して行うように指示され得る。他の構成では、較正プロセスは、トイレの第１の幾つかの正常な水洗サイクルに亘って行うことができる。言い換えれば、使用者は、システムの設置後にトイレの正規の使用を単に始め、システムは、幾つかの続く水洗を利用してそれ自体をトイレに対して較正する。
【００４７】
図４Ａ及び図４Ｂのグラフ４００及び４５０に示されるように、使用者及び／又はトイレ溢れ防止システムは、正常な水洗４０２、４０４、４０６、４５２、４５４などの１つ又は複数の正常な水洗を始めることによって較正を行うことができる。正常な水洗４０２、４０４、４０６、４５２、４５４についてのトイレ便器の水の特性シグネチャに基づいて、トイレ溢れ防止システムは、水溢れ状態４０８、４５６を決定するための閾値及び／又は規定を決定することができる。上述したように、幾つかの実施形態では、使用者は、１つ又は複数の正常な水洗を較正プロセスの一部として連続して手動で実行することができる。あるいは、幾つかの実施形態では、トイレ溢れ防止システムは、通常の使用中に１つ又は複数の正常な水洗を自動的に識別することができ、及び／又は通常の使用中に自己較正を自動的に実行することができる。
【００４８】
水溢れ状態４０８、４５６は、水洗シグネチャの任意の適した特徴に基づいて決定することができる。例えば、水溢れ状態４０８、４５６は、（好ましくは水位に関する）感知された電圧の大きさ、及び／又は電圧ピークの持続期間に全体又は一部において基づき得る。図４Ａ及び図４Ｂに示されるように、正規化電圧値によって示されるようなある閾値より上のトイレ便器の水の持続期間は、正常な水洗を溢れ状態から区別するのに役立ち得る。例えば、正常な水洗４０２、４０４、４０６、４５２、４５４の幅は、グラフに示されるように、水溢れ状態４０８、４５６よりもかなり短くなり得、これは、溢れ状態４０８、４５６に対して正常な水洗４０２、４０４、４０６、４５２、４５４の時間期間がより短いことに対応する。加えて又は代替として、水溢れ状態４０８、４５６は、水の高さの大きさに基づき得る。例えば、図４Ａ及び図４Ｂに示されるように、水溢れ状態４０８、４５６は、同じトイレについて正常な水洗４０２、４０４、４０６、４５２、４５４よりもずっと高いピークを有する。
システムは、溢れ状態を正確に識別するために、正常な水洗の情報を利用して今後の水洗のイベントと比較するために使用され得る特性を識別することができる。そのような特性は、例えば、正常な水洗の平均値又は最大値であり得る又はそれらを含み得る。例えば、正常な水洗の平均ピーク電圧及び／又は正常な水洗の平均持続期間が、決定され得る。この決定に基づいて、システムは、溢れ状態４０８、４５６の存在を決定するために、正常な水洗の閾値、溢れ閾値、及び／又は基準セット（便宜上「閾値」と本明細書中では呼ばれる）を決定することができる。閾値は、予め定められ得る（例えば、平均値に対してのピーク電圧の特定の増加及び／又は持続期間）。閾値は、初期較正の後、一定のままであり得、又は経時的に再評価され得る。例えば、システムは、初期較正中に決定された値に影響を与え得る環境因子又は他の因子の変化を考慮に入れるために、ピーク電圧及び／又は持続期間の移動平均を維持することができ、あるいは特定の時間期間の後に自動較正更新を行うことができる。溢れ閾値は、正常な水洗の閾値よりも上の特定の値、又は正常な水洗の閾値よりも上のパーセンテージなどの正常な水洗の閾値よりも上の値に設定され得る。
【００４９】
幾つかの実施形態では、水位の変化の傾斜及び／又は水位の他の導関数を使用して、溢れ状態を決定することができる。水位の傾斜が増加中である場合、状態機械は、現在の状態をトイレの水位の「上昇状態」とみなすことができる。水位の傾斜が減少中である場合、状態機械は、移行中の現在の状態を「ピーク」状態とみなすことができ、及び／又は負の傾斜が続く場合、その後の「下降」状態とみなすことができる。「ピーク状態」中、トイレ溢れ防止システムは、タイマーの利用などによってどのくらい長く水位が「ピーク状態」にあるのか追跡することができる。水が、ある閾値を超える時間期間の間の「ピーク状態」にある場合、トイレ溢れ防止システムは、溢れ状態を設定することができる。水位が、「ピーク状態」の水位又は「ピーク状態」の水位に基づく閾値よりも下に降下する場合、トイレ溢れ防止システムは、非溢れ状態を設定することができる。
【００５０】
幾つかの実施形態では、トイレ溢れ防止システムが、水の上昇に基づく溢れ状態を見逃す場合、トイレ溢れ防止システムは、水が両導電板１０２Ａ、１０２Ｂよりも上に上昇し続ける及び／又は上昇するときに、以後、溢れ状態を識別することができる。次いで、トイレ溢れ防止システムは、大きい水の高さの測定値を識別することができ、溢れる水の状態を識別するための別の機会を与える。
【００５１】
幾つかの実施形態では、水溢れ状態４０８、４５６は、水溢れ状態の正確さの最適化及び／又は誤検知の最小化に基づいて決定することができる。水溢れ状態及び／又は誤検知を見逃すことは、それぞれ、損害の大きい溢れという結果になり得、又は使用者が現在溢れ状態にないトイレに接続されているシステムを管理することを要求する。システムを不必要にリセットしなければならないことにおける使用者の苛立ちを制限する又はなくすために、誤検知の事態を減らす又は最小にすることが望ましい。
【００５２】
消費電力を削減するために、トイレ溢れ防止システムは、水位電圧を０．１秒ごとに１回など定期的に確認することができる。幾つかの実施形態では、トイレ溢れ防止システムは、水電圧レベルがある閾値を満たすとき、より頻繁に確認するなど、確認の頻度を変えることができる。
【００５３】
［トイレ溢れ防止システムについての周波振動最適化］
図５Ａは、幾つかの実施形態によるトイレ溢れ防止システムについての周波振動最適化のグラフ５００を示す。このグラフは、磁器などのトイレ構造を通じて伝搬する後に別の導電板によって受信されるように導電板を励振する振動周波数を示す。周波振動最適化のグラフ５００は、振動周波数及び誘電率の尺度を示す。
【００５４】
周波振動最適化についてのグラフ５００に示されるように、周波数が増加するにつれて、正規化されたアナログ／デジタル変換器の値（誘電率）は、強化された結合によりある周波数まで増加し、その後、悪化した結合により減少する。例えば、特定のトイレ便器設計において、周波振動が増加するとき５０２、５０４、５０６、５０８、正規化電圧差は増大し、その後に周波振動が増加するとき５１０、５１２、正規化電圧差は減少する。したがって、トイレ溢れ防止最適化は、様々な周波振動全体にわたる正規化電圧差測定値に基づいて、変化しているトイレ便器について最適な周波数を決定することができる。
【００５５】
幾つかの実施形態では、周波振動の選択は、誘電率の正規化電圧差、又は消費電力などの１つ又は複数の因子に基づき得る。周波振動の選択は、ある電圧差閾値を満たす周波振動のリストの中で最小の消費電力を与える周波振動に基づき得る。例えば、閾値が、正規化電圧差０．１５である場合、振動の周波数５０２、５０４、５０６、５０８、５１０、５１２は、閾値を全て満たす。したがって、最小消費電力５０２を伴う周波数（１００ｋＨｚ）が選択され得る。正規化電圧差がより高い場合、検出部１００は、強化された分解能で溢れ状態を検出することができる。しかしながら、正規化電圧差がある閾値よりも上にある場合、溢れ状態を検出する分解能は、あまり大きくなり得ず、したがって、消費電力の削減がより重要になり得る。幾つかの実施形態では、好ましい周波数は、１００ｋＨｚである。周波振動の選択は、工場設定であり得る、又は較正プロセスの一部を形成し得る。
【００５６】
［トイレ溢れ防止システムについての導電板長最適化］
図５Ｂは、幾つかの実施形態によるトイレ溢れ防止システムについての導電板長最適化のグラフ５３０を示す。導電板長最適化のグラフ５３０は、各導電板の長さと誘電率の正規化電圧差との間の関係を示す。
【００５７】
グラフ５３０の例では、各導電板５３２、５３４、５３６、５３８の長さが増加する場合、静電容量がプレート面積の関数であり得、導電板間の観測できる静電容量が増加するという結果になるので、導電板間の正規化電圧差が増大する。幾つかの実施形態では、導電板のサイズの決定は、導電板についての静電容量面積のサイズ、例えば、幅、形状、及び厚さ、ならびに／又は同様のものに影響を与える因子に基づき得る。各導電板の長さが増加するとき、導電板面積が増大し、したがって導電板における信号間の差がより大きくなるという結果になる。幾つかの実施形態では、トイレの溢れシステムの検出部全体のより小さいパッケージ性、及び／又は様々なトイレの形状及び設計に適合することの容易さなどについてサイズの考慮のため、ある閾値正規化電圧差が満たされた後、比較的短い又は最も短い長さの導電板が選択され得る。幾つかの構成では、導電板１０２Ａ、１０２Ｂは、約１〜１．５インチ×約１〜１．５インチ、又は約１．２５×約１．２５インチの寸法を有する。
【００５８】
幾つかの実施形態では、導電板の長さは、所望の正規化電圧差及び／又はトイレ溢れ防止システムの全体サイズなどの１つ又は複数の因子に基づき得る。
【００５９】
［トイレ溢れ防止システムについての導電板間の距離最適化］
図５Ｃは、幾つかの実施形態によるトイレ溢れ防止システムについての導電板間の距離最適化のグラフ５６０を示す。グラフ５６０は、２つの導電板５６２、５６４、５６６、５６８、５７０間の距離と誘電率の正規化電圧差との間の距離間の関係を示す。
【００６０】
２つの導電板間の距離が小さい場合、２つの導電板についての結合は、静電容量の値における重みをより受け得るが、これは、２つの電極間の空気全体に亘っての経路が、より大きい交流電圧を得て、水位の変化によって発生する差よりも大きい重みを有し得るからである。２つの導電板間の距離が大きい場合、２つの導電板間の結合は、重みをあまり有さなくてもよく、したがって、全静電容量は、より小さくなってもよく、アイドル水位と水洗水位の間の区別をより難しくさせる。
【００６１】
幾つかの構成では、導電板１０２Ａ、１０２Ｂ間の距離は、約１〜２インチの間、又は約１．５インチである。幾つかの実施形態では、導電板間の距離は、導電板のサイズ及び／又は長さに基づき得る。
【００６２】
［トイレ溢れ防止システムについての正常及び溢れ閾値］
図６Ａ及び図６Ｂは、幾つかの実施形態による、それぞれ第１及び第２のトイレ設計に使用されるトイレ溢れ防止システムについての正常な水洗閾値及び溢れ閾値のグラフ６００、６５０を示す。グラフ６００、６５０は、異なるトイレ間で閾値が異なり得ることを示す。本明細書中に説明されるように、閾値は、較正プロセスの結果として異なり得る。グラフ６００、６５０は、溢れ閾値６０２、６５２及び正常な水洗の閾値６０４、６５４を示す。正常な水洗の閾値６０４、６５４は、図４Ａ〜図４Ｂについて説明される正常な水洗の閾値などの較正期間中の正常な水洗についての電圧値の平均ピークをとることによって決定することができる。幾つかの実施形態では、トイレ溢れ防止システムは、電圧が時間期間に亘って正常な水洗の閾値６０４、６５４よりも上にあるか溢れ状態を判定することができる。
【００６３】
グラフ６００、６５０に示されるように、溢れ閾値６０２、６５２は、正常な水洗の閾値６０４、６５４よりも高くなり得る。溢れ閾値６０２、６５２は、正常な水洗の閾値６０４、６５４よりも上の所定の量又はパーセンテージ、例えば、図４Ａ〜図４Ｂに関して説明された溢れ閾値であり得る。
【００６４】
グラフ６００、６５０は、５つの状態、すなわち、イベントなし、シャワーイベント、正常な水洗、使用者がトイレに座るイベント、及び溢れ状態を示す。図示するように、通常のイベント、シャワーイベント、及び使用者がトイレに座るイベントの最中、水位は、正常な水洗の閾値の近くに上昇しない。シャワーイベント中、幾つかのシステムは、測定電圧により大きいスパイクをもたらす、狭い空間内に蒸気が蓄積するので導電板上に形成された結露によって影響を受ける可能性がある。しかしながら、トイレ溢れ防止システムは、シャワーイベントによって影響を受けなかった。正常な水洗中、水位は、正常な水洗の閾値６０４、６５４のより近くに増加し、及び／又は正常な水洗の閾値６０４、６５４を超えるが、溢れ閾値６０２、６５２を満たさない。溢れ状態中、正規化電圧差は、溢れ閾値６０２、６５２を満たす。
【００６５】
［トイレ溢れ防止システムの実装］
図７及び図８は、幾つかの実施形態によるアクチュエータ７００の一例を示す。アクチュエータ７００は、図２に示される及び図２に関連して論じられたソレノイド装置２２０であり得る、又はこれを備え得る。アクチュエータ７００は、オーバーフロー管７５６などのトイレのオーバーフロー管に取り付け可能であるように概して構成されている。図２に関連して論じられるように、好ましくは、アクチュエータ７００は、溢れ検出部１００によって送られた信号を受信することを可能にする。アクチュエータ７００は、タンクからトイレ便器への通路を通じて水の流れを規制する又は完全に止めるようにフラッパー弁７３８を強制的に閉鎖するように概して構成されている。図７及び図８に示された特定の実施形態では、アクチュエータ７００は、以下より詳細に論じられる重量落下機構を介してフラッパー弁７３８を押し倒すように構成されている。
【００６６】
アクチュエータ７００は、主ハウジング７０２を備え、好ましくは、この主ハウジング７０２は、少なくとも一部に内側ハンマーロッド７０４及び外側ハンマーロッド７０６を収容する概して管状の部材である。内側ハンマーロッド７０４及び外側ハンマーロッド７０６は、主ハウジング７０２内で軸方向に移動可能であるように構成されている。内側ハンマーロッド７０４は、内側ハンマーロッド７０４の下端に取り付けられるハンマーおもり７０８を支える。主ハウジング７０２は、フラッパー弁７３８よりも上にアクチュエータ７００を配置するように、アクチュエータ７００がオーバーフロー管７５６の上部に固定されることを可能にするオーバーフロー管取り付け構造７１０も備える。
【００６７】
図７を続けて参照すると、好ましくは、主ハウジング７０２の上部は、外側ハンマーロッド７０６を選択的に拘束又は解放するように構成されているソレノイドアセンブリ７１２を備え、これは、ひいてはハンマーおもり７０８を拘束又は解放する。幾つかの実施形態では、ソレノイドアセンブリ７１２は、外側ハンマーロッド７０６を保持又は解放するための機械的留め具を定めるソレノイドラッチ７１６に接続されたソレノイド７１４を備える。簡単に上で論じたように、ソレノイド７１４は、センサ又はプロセッサによって送られ得る制御信号によって作動させることができる。ソレノイド７１４は、例えばＲＦ信号などの有線信号又は無線信号を介して制御信号を受信することができる。
【００６８】
好ましくは、アクチュエータ７００は、フラッパー弁７３８が正常な水洗サイクル中にその開放位置と閉鎖位置の間で自由に移動するように、ハンマーおもり７０８をフラッパー弁７３８に対して高くした位置に保持されるように構成されている。例示された実施形態では、アクチュエータ７００が適切な制御信号を受信した後に、ソレノイド７１４は、ソレノイドラッチ７１６を作動させて外側ハンマーロッド７０６を解放する。結果として、外側ハンマーロッド７０６、及びしたがってハンマーおもり７０８は、解放され、それ自体の重量によって下方に落下して、フラッパー弁７３８を強制的に閉鎖する。好ましくは、検出、処理、及びハンマーロッド７０６の解放は、水の水洗容量全体がタンクから取り除かれる前に行われる。
【００６９】
好ましくは、アクチュエータ７００は、主ハウジング７０２に対しての外側ハンマーロッド７０６についての所定の量のストロークを有するように構成されている。すなわち、外側ハンマーロッド７０６は、ハンマーおもり７０８が外側ハンマーロッド７０６の長さ及び主ハウジング７０２の長さに基づいて有する移動量を概して決定する。幾つかの実施形態では、ハンマーおもり７０８は、フラッパー弁７３８をしっかり閉鎖するように十分な高さまで下げられることが好ましい。例示した実施形態では、ある量の伸縮式調整能力が内側ハンマーロッド７０４と外側ハンマーロッド７０６の間に与えられる。
【００７０】
図７を続けて参照すると、好ましくは、内側ハンマーロッド７０４は、外側ハンマーロッド７０６に挿入可能であるとともに、オーバーフロー管７５６の高さに対してハンマーおもり７０８の高さを調整するように伸縮式に調整可能である。好ましくは、内側ハンマーロッド７０４は、外側ハンマーロッド７０６に対して内側ハンマーロッド７０４を所望の位置に固定するようにきつく締め付けることができるロッドカラー７１８によって外側ハンマーロッド７０６に対して固定可能である。そのような構成は、様々なトイレ設計の調整を可能にする。
【００７１】
アクチュエータ７００には、ソレノイドラッチ７１６によってハンマーおもり７０８が解放された後に、アクチュエータ７００をリセットするように手動で持ち上げられるように構成されたリセットラッチ７２０も含まれる。当業者によって理解されるように、他の実施形態では、アクチュエータ７００は、ハンマーおもり７０８が解放された後に、自動的にリセットするように構成され得、したがって、リセットラッチ７２０の必要をなくす。
【００７２】
図８を参照すると、アクチュエータ７００は、オーバーフロー管取り付け構造７１０を介してーバーフロー管７５６の上部に固定され、このオーバーフロー管取り付け構造７１０は、示した構成においてはスナップフィットであるように構成されている。さらに、アクチュエータ７００の主ハウジング７０２は、好ましくは、ハンマーおもり７０８がフラッパー弁７３８のほぼ上方に位置するように配置され、ハンマーおもり７０８が解放されるときに、それは、フラッパー弁７３８の上部に落下し、強制的にフラッパー弁７３８を閉鎖するようになっている。
【００７３】
図８を続いて参照すると、ハンマーおもり７０８は、使用者が外側ハンマーロッド７０６（及びフラッパー弁７３８）に対してハンマーおもり７０８の高さを設定することを可能にするように構成されている高さ設定治具７２２に支持されることが示されている。アクチュエータ７００がオーバーフロー管７５６に設置された後、好ましくは、使用者が、ロッドカラー７１８を緩めると、したがって内側ハンマーロッド７０４が、外側ハンマーロッド７０６に対して軸方向に移動することが可能になる。この時点では、使用者がハンマーおもりを高さ治具７２２の上部へ配置することが好ましく、高さ治具７２２の脚７２４は、タンクの底に載っている。この時点で、ハンマーおもり７０８は高さ治具７２２によって支持されているが、次いで、好ましくは、使用者は、外側ハンマーロッド７０６に対して内側ハンマーロッド７０４を固定するようにロッドカラー７１８をきつく締め付け、このようにしてハンマーおもり７０８の適切な高さを設定する。システムが使用に置かれる前に、好ましくは、高さ治具７２２が除去される。
【００７４】
アクチュエータ７００の特定の一実施形態は、図７及び図８を参照して示されているが、当業者によって理解されるように、アクチュエータの様々な他の実施形態は、検出された水が溢れ出す条件の場合に、便器への水流を実質的に減少させる又はなくすために使用され得る。そのような適した代替実施形態は、タンクの底で独立して載置し、オーバーフロー管７５６に取り付けられないアクチュエータ７００を備えることができる。他の適した実施形態は、タンクの上側リムに取り付けられるアクチュエータを備えることができる。別の適した実施形態は、水が溢れ出す条件の場合にフラッパー弁を閉鎖するように、ねじり力がフラッパー弁７３８の枢動アームに加えられるようフラッパー弁７３８に取り付けられた回転ソレノイドを備えることができる。別の実施形態は、タンクに位置するアクチュエータを備えなくてもよいが、トイレのための外部水供給源からの水流を制御する弁に取り付けられるアクチュエータを備えることができる。したがって、図７及び図８に示されたアクチュエータ７００は、トイレ溢れ防止システムと共に用いることができるアクチュエータの単に可能性ある一実施形態である。
【００７５】
システム及び方法を幾つかの好ましい実施形態及び例の文脈で開示してきたが、本開示は具体的に開示された実施形態を超えて、システム及び方法の他の代替実施形態及び／又は使用、ならびにその明らかな修正例及び均等物まで拡張することが当業者には理解されよう。さらに、システム及び方法の幾つかの変形例を詳細に図示及び説明してきたが、本開示の範囲内である他の修正例は、本開示に基づいて当業者に容易に明らかであろう。実施形態の具体的な特徴及び態様の様々な組合せ又はサブコンビネーションが作製されてもよく、本開示の範囲内になお含まれるとやはり考えられる。したがって、開示したシステム及び方法の様々なモードを実施するために、開示した実施形態の様々な特徴及び態様が、互いに組み合わされてもよく、又は互いに代わりとされてもよいことを理解されたい。したがって、本明細書中に開示された本開示の範囲は、上記開示された特定の実施形態によって限定されるべきではなく、特許請求の範囲の公正な読みによってのみ決定されるべきであることが意図される。
【符号の説明】
【００７６】
１００  トイレ溢れ検出部、検出部
１０２Ａ  導電板、プレート、第１の導電板
１０２Ｂ  導電板、プレート、第２の導電板
１０２Ｃ  導電板、プレート
１０４Ａ  空気
１０４Ｂ  空気
１０６  水
１０８Ａ  磁器
１０８Ｂ  磁器
１０８Ｂ  磁器
１１０  トイレ便器
１１４  トイレ便器
１２０  ハウジング
１２０Ａ  センサハウジング
１２０Ｂ  センサハウジング
１２２  電池
２０１  センシングユニット
２０２  方形波発生器
２０４  第１のローパスフィルタ
２０６  整流器
２０８  第２のローパスフィルタ
２１０  アナログ／デジタル変換器
２１２  溢れ検出器
２１４  送信機
２１５  タンクユニット
２１６  受信機
２１８  ハイサイドスイッチ、スイッチ
２２０  ソレノイド、ソレノイド装置
２２２  フラッパー弁
３０１  メモリ
３０２  プリント回路基板（ＰＣＢ）、ＰＣＢ
３０４Ａ  枢動ハウジング
３０４Ｂ  枢動ハウジング
４００  グラフ
４０２  正常な水洗
４０４  正常な水洗
４０６  正常な水洗
４０８  水溢れ状態、溢れ状態
４５０  グラフ
４５２  正常な水洗
４５４  正常な水洗
４５６  水溢れ状態、溢れ状態
５００  グラフ
５０２  周波振動が増加するとき、振動の周波数、最小消費電力
５０４  周波振動が増加するとき、振動の周波数
５０６  周波振動が増加するとき、振動の周波数
５０８  周波振動が増加するとき、振動の周波数
５１０  振動の周波数
５１２  振動の周波数
５３０  グラフ
５３２  導電板
５３４  導電板
５３６  導電板
５３８  導電板
５６０  グラフ
５６２  導電板
５６４  導電板
５６６  導電板
５６８  導電板
５７０  導電板
６００  グラフ
６０２  溢れ閾値
６０４  正常な水洗の閾値
６５０  グラフ
６５２  溢れ閾値
６５４  正常な水洗の閾値
７００  アクチュエータ
７０２  主ハウジング
７０４  内側ハンマーロッド
７０６  外側ハンマーロッド
７０８  ハンマーおもり
７１０  取り付け構造
７１２  ソレノイドアセンブリ
７１４  ソレノイド
７１６  ソレノイドラッチ
７１８  ロッドカラー
７２０  リセットラッチ
７２２  高さ設定治具、高さ治具
７２４  脚
７３８  フラッパー弁
７５６  オーバーフロー管
【図１Ａ】
2020525690.tif 000006
【図１Ｂ】
2020525690.tif 000007
【図２】
2020525690.tif 000008
【図３】
2020525690.tif 000009
【図４Ａ】
2020525690.tif 000010
【図４Ｂ】
2020525690.tif 000011
【図５Ａ】
2020525690.tif 000012
【図５Ｂ】
2020525690.tif 000013
【図５Ｃ】
2020525690.tif 000014
【図６Ａ】
2020525690.tif 000015
【図６Ｂ】
2020525690.tif 000016
【図７】
2020525690.tif 000017
【図８】
2020525690.tif 000018
【国際調査報告】
2020525690.tif 000019
2020525690.tif 000020